(57)【要約】【課題】左右に連結された椅子で共用される肘掛け装置であって、左右の椅子に座った隣り合う利用者の腕を上下に並べて接触させることなく置ける肘掛け装置を提供する。【解決手段】本発明は、左右に連なった椅子１００Ａ，１００Ｂで共用される肘掛け装置１ａであり、一方の椅子１００Ａに着席した人が用いる第１の肘載せ部２と、第１の肘載せ部２の一方の側面から下方に延びた側壁部４と、側壁部４に設けられ、第１の肘載せ部２の略垂直方向下方に位置し、他方の椅子１００Ｂに着席した人が用いる第２の肘載せ部５とを備えている、上下２段構成の肘掛け装置１ａである。【選択図】図１
2017006565.tif 000002
【特許請求の範囲】
【請求項１】
左右方向に連なった椅子で共用される肘掛け装置であって、
一方の椅子に着席した人が用いる第１肘載せ部と、
前記第１肘載せ部の前記左右方向の一端から下方に延びた側壁部と、
前記側壁部に設けられ、前記第１肘載せ部の略垂直方向下方に位置し、他方の椅子に着席した人が用いる第２肘載せ部と、を備えた
椅子の肘掛け装置。
【請求項２】
前記第１肘載せ部の一部には開口部が設けられており、
前記開口部の輪郭及び当該輪郭に続く前記第１肘載せ部の端部に沿って立脚した立壁部を更に有する
請求項１に記載の椅子の肘掛け装置。
【請求項３】
前記第２肘載せ部は、前記側壁部の略中央から前端近傍まで設けられている
請求項１又は請求項２に記載の椅子の肘掛け装置。
【請求項４】
左右方向に連なった椅子で共用される肘掛け装置に装着される肘掛けユニットであって、
一方の椅子に着席した人が用いる第１肘載せ部と、
前記第１肘載せ部の前記左右方向の一端から下方に延びた側壁部と、
前記側壁部に設けられ、前記第１肘載せ部の略垂直方向下方に位置し、他方の椅子に着席した人が用いる第２肘載せ部と、を備えた
肘掛けユニット。
【請求項５】
左右方向に連なった椅子で共用される肘掛け装置であって、
一方の椅子に着席した人が用いる第１肘載せ部と、
前記第１肘載せ部の前記左右方向の一端から下方に延びた側壁部と、
前記側壁部に設けられ、前記第１肘載せ部の略垂直方向下方に位置し、他方の椅子に着席した人が用いる第２肘載せ部と、を備え、
未使用時には前記左右方向に連なった椅子の間に設けられた開口部に収容でき、前記椅子の座面に対して垂直な方向に移動させることで座面からの高さを調節できる
椅子の肘掛け装置。
【発明の詳細な説明】
【技術分野】
【０００１】
本発明は、左右に連結された椅子の肘掛け装置及び肘掛けユニットに関する。
【背景技術】
【０００２】
従来、例えば、航空機、列車、及び車両では、複数の椅子が左右に連結されて配設されており、左右の椅子の間に共用の肘掛け装置が設けられている。この肘掛け装置は、左右の椅子に座った利用者により共用される目的で設置されたものではあるが、その上面、つまり肘の載置面の面積が小さいことから、左右の椅子に座った利用者の一方により使用が開始されると、他方の利用者は使用できないことが多かった。このように、一方の利用者により肘掛け装置が占有されると、他の利用者は、長時間、肘を膝の上に置いたり腕組みをしたりするしかなく、移動時間を快適に過ごすことができなかった。
【０００３】
このような問題に鑑みて、例えば、特許文献１では、複数の椅子本体が左右に連なり隣接同士で肘木を共用する連結椅子の肘掛け装置であって、肘木の上面を左右に仕切る仕切り壁を設けた肘掛け装置が開示されている。
【先行技術文献】
【特許文献】
【０００４】
【特許文献１】特開平１０−７５８４７号公報
【発明の概要】
【発明が解決しようとする課題】
【０００５】
しかしながら、特許文献１に開示された肘掛け装置では、仕切り壁により肘木の上面を左右の２つの領域に区分けして共用可能としているが、肘木の面積が小さいと左右の利用者に十分な肘載せスペースを提供することができなかった。
【０００６】
例えば、航空機の場合を例に挙げると、多くのエコノミークラスの椅子は、その幅が４２ｃｍから４７ｃｍの範囲に制限されていることからも、肘掛け装置の幅を広げ、肘の載置面を広げることには、使用環境との関係で限界があった。
【０００７】
本発明は、このような課題に鑑みてなされたものであり、左右に連結された椅子で共用されるものであって、左右の椅子に座った隣り合う利用者の腕を上下に並べて接触させることなく置けるようにした肘掛け装置及び肘掛けユニットを提供することを目的とする。
【課題を解決するための手段】
【０００８】
上記課題を解決するため、本発明の一態様に係る椅子の肘掛け装置は、左右方向に連なった椅子で共用される肘掛け装置であって、一方の椅子に着席した人が用いる第１肘載せ部と、前記第１肘載せ部の前記左右方向の一端から下方に延びた側壁部と、前記側壁部に設けられ、前記第１肘載せ部の略垂直方向下方に位置し、他方の椅子に着席した人が用いる第２肘載せ部とを備えている。
【０００９】
本発明の他の態様に係る椅子の肘掛けユニットは、左右方向に連なった椅子で共用される肘掛け装置に装着される肘掛けユニットであって、一方の椅子に着席した人が用いる第１肘載せ部と、前記第１肘載せ部の前記左右方向の一端から下方に延びた側壁部と、前記側壁部に設けられ、前記第１肘載せ部の略垂直方向下方に位置し、他方の椅子に着席した人が用いる第２肘載せ部とを備えている。
【００１０】
本発明の更に他の態様に係る椅子の肘掛け装置は、左右方向に連なった椅子で共用される肘掛け装置であって、一方の椅子に着席した人が用いる第１肘載せ部と、前記第１肘載せ部の前記左右方向の一端から下方に延びた側壁部と、前記側壁部に設けられ、前記第１肘載せ部の略垂直方向下方に位置し、他方の椅子に着席した人が用いる第２肘載せ部とを備え、未使用時には前記左右方向に連なった椅子の間に設けられた開口部に収容でき、前記椅子の座面に対して垂直な方向に移動させることで座面からの高さを調節できる。
【発明の効果】
【００１１】
本発明によれば、左右に連結された椅子で共用されるものであって、左右の椅子に座った隣り合う利用者の腕を上下に並べて接触させることなく置けるようにした肘掛け装置及び肘掛けユニットを提供することができる。
【図面の簡単な説明】
【００１２】
【図１】本発明の第１実施形態に係る肘掛け装置の構成を示す斜視図である。
【図２】（ａ）は本発明の第１実施形態に係る肘掛け装置の平面図、（ｂ）は肘掛け装置を右方から見た側面図、（ｃ）は左方から見た側面図である。
【図３】本発明の第１実施形態に係る肘掛け装置の使用状態を示す図である。
【図４】本発明の第２実施形態に係る肘掛けユニットを既設の肘掛け装置に装着した様子を前面から見た図である。
【図５】（ａ）は本発明の第２実施形態に係る肘掛けユニットの装着時の様子を示す斜視図、（ｂ）は肘掛けユニットを装着する過程を示す斜視図である。
【図６】（ａ）及び（ｂ）は、本発明の第３実施形態に係る肘掛け装置の構成を示す斜視図である。
【発明を実施するための形態】
【００１３】
以下、図面を参照しつつ本発明の実施形態について説明する。
【００１４】
＜第１実施形態＞
図１には本発明の第１実施形態に係る肘掛け装置（アームレストともいう）の構成を斜視図で示し、図２（ａ）乃至図２（ｃ）には肘掛け装置の構成を平面図、左右の側面図でそれぞれ示し、説明する。
【００１５】
図１に示されるように、この例では、３つの椅子１００Ａ乃至１００Ｃが左右方向に連結されており、椅子１００Ａと椅子１００Ｂの間に肘掛け装置１ａが設けられており、椅子１００Ｂと椅子１００Ｃの間には肘掛け装置１ｂが設けられている。肘掛け装置１ａと肘掛け装置１ｂとは、左右対称の関係となっているが、構成要素は同じであるので、以下では肘掛け装置１ａの構成を中心に詳細に説明する。
【００１６】
図１、及び図２（ａ）乃至図２（ｃ）に示されるように、肘掛け装置１ａは、一方の椅子（この例では椅子１００Ａ）に座った人が肘を載せるための第１肘載せ部２を備え、第１肘載せ部２の椅子１００Ａ側の側面から下方に向けて連続するように座面に垂直な側壁部４が設けられている。側壁部４は、椅子１００Ａの座面に垂直な平面からなる主側壁部４ａと、主側壁部４ａに連続して所定長だけ所定角度で椅子１００Ｂの方に向けて傾斜した傾斜側壁部４ｂとからなる。傾斜側壁部４ｂは椅子１００Ａ及び１００Ｂのいずれにも接していない。これは、通気性を向上させると共に清掃等を便宜も図ったものである。側壁部４の主側壁部４ａの他方の椅子（この例では椅子１００Ｂ）に向いた平面には、第２肘載せ部５が、椅子１００Ｂの座面に平行となるように、主側壁部４ａの略中央から前端近傍に至るまでの間に設けられている。第２肘載せ部５の配設位置の高さは、側壁部４の略中央であってよい。
【００１７】
第１肘載せ部２は、略中央から後端に向けて、その幅方向の略半分を略円形状に開口するように開口部２ａが設けられている。第１肘載せ部２の幅方向の一方の端部（この例では椅子１００Ｂ側）には、立壁部３が立設されている。この立壁部３は、第１肘載せ部２の開口部２ａの輪郭に沿って湾曲しつつ立設された平面部３ａと、平面部３ａに連続して前端に向けて立設された平面部３ｂとからなる。立壁部３は、第１肘載せ部２の後端から前端に向けて高さが低くなるように傾斜している。肘掛け装置１ａは、第１肘載せ部２の不図示の装着部が、椅子１００Ａ又は椅子１００Ｂに設けられた不図示の支持部に対し脱着可能となっている。但し、これには限定されない。
【００１８】
一方、図１に示されるように、左右両端の椅子１００Ａ、１００Ｃの窓側あるいは通路側の端には肘掛け装置１０ａ、１０ｂが設けられている。肘掛け装置１０ａと肘掛け装置１０ｂは、左右対称の関係となっているが、構成要素は同じであるので、以下では肘掛け装置１０ａの構成を中心に詳細に説明する。
【００１９】
肘掛け装置１０ａは、椅子１００Ａに座った人が肘を載せるための第１肘載せ部１２を備えており、第１肘載せ部１２の椅子１００Ａ側の側面から下方に向けて連続するように座面に垂直な側壁部１４が設けられている。側壁部１４は、椅子１００Ａの座面に垂直な平面からなる主側壁部１４ａと、主側壁部１４ａに連続して所定長だけ所定角度で椅子１００Ａの方に向けて傾斜した傾斜側壁部１４ｂとからなる。傾斜側壁部１４ｂは椅子１００Ａに接していない。これは、通気性を向上させると共に清掃等を便宜も図ったものである。側壁部１４の主側壁部１４ａの椅子１００Ａ側に向いた平面には、第２肘載せ部１５が、椅子１００Ａの座面に平行となるように、主側壁部１４ａの略中央から前端近傍に至るまでの間に設けられている。
【００２０】
第１肘載せ部１２は、略中央から後端に向けて、その幅方向の略半分を略円形状に開口するように開口部１２ａが設けられている。第１肘載せ部１２の幅方向の一方の端部（この例では窓側又は通路側）には、立壁部１３が立設されている。立壁部３は、第１肘載せ部１２の後端から前端に向けて高さが低くなるように傾斜している。肘掛け１０ａは、第１肘載せ部１２の後端が椅子１００Ａに固定されているが、接続態様は、これに限定されないことは勿論である。
【００２１】
このような構成において、図３に示されるように、椅子１００Ａに着席した人２００Ａは、右手の肘を肘掛け装置１０ａの第１肘載せ部１２に載せて、左手の肘を肘掛け装置１ａの第１肘載せ部２に載せて着席中くつろぐことが可能となる。このとき、左右の肘掛け装置１０ａ及び１ａの第１肘載せ部１２及び２の座面からの高さは同じなので、左右のバランスを保った状態を維持できる。着席中にパソコン操作を行うような場合もあり、左右のバランスを保った状態で肘掛け装置１ａ、１０ａを利用できることは、ユーザの利便性向上に寄与するものである。
【００２２】
これと同様に、椅子１００Ｂに着席した人２００Ｂは、右手の肘を肘掛け装置１ａの第２肘載せ部５に載せて、左手の肘を肘掛け装置１ｂの第２肘載せ部５に載せて着席中くつろぐことが可能となる。このとき、左右の肘掛け装置１ａ及び１ｂの第２肘載せ部５の座面からの高さは同じなので、左右のバランスを保った状態を維持できる。
【００２３】
このように、本実施形態では、椅子１００Ａと椅子１００Ｂに利用者２００Ａ、２００Ｂが着席する場合に、椅子１００Ａと椅子１００Ｂの間に設けられている肘掛け装置１ａを利用者２００Ａ、２００Ｂが共用することができる。より詳細には、利用者２００Ａが左腕の肘を上段の第１肘載せ部２に載せ、利用者２００Ｂが右腕の肘を下段の第２肘載せ部５に載せて、共用することができる。このとき、側壁部４、及び立壁部３が両者の間に介在するので、両者の腕と腕とが接触することはない。また、下段の第２肘載せ部５を使用する利用者２００Ｂは、第１肘載せ部２に設けられた開口部２ａより腕を下方に下ろして自然な状態で第２肘載せ部５を活用することができる。
【００２４】
また、肘掛け装置１ａ、１ｂは、第１肘掛部２の不図示の装着部が椅子１００Ａ乃至１００Ｃの不図示の支持部に対して着脱自在であるので、肘掛け装置１ａ、１ｂの装着位置を逆にすることもできる。その場合、椅子１００Ａに着席した人は、下段の第２肘載せ部（１５，５）を利用し、椅子１００Ｂに着席した人は、上段の第１肘載せ部（２）を利用することが可能となる。例えば、親子連れが左右隣り合わせの座席を利用する場合に、肘掛け装置１ａ、１ｂの装着位置を変えるだけで、子供が下段の第２肘載せ部を利用できるように配列を調整することが可能となる。
【００２５】
使用時の姿勢については、上段の第１肘載せ部２を使用するときは上半身が立った姿勢になる。第１肘載せ部２を使わなければ椅子の背もたれにもたれる姿勢になる。下段の第２肘載せ部５を使用するときは腰を若干前方に出し、背を椅子の背もたれに付けた姿勢になる。第２肘載せ部５を使わなければ上半身が立った姿勢になる。このように利用者は無意識に上記姿勢を選択してとることが可能であるから、本実施形態の構成を採用する場合でも、姿勢の自由度は確保されている。
【００２６】
第１肘載せ部２は、その厚みは薄くされているので、第１肘載せ部２と第２肘載せ部５との間にスペースを確保し、クリアランスを良好なものとしている。また、第２肘載せ部５も、その厚みを薄くしているので、第２肘載せ部５の下方にもスペースを確保し、膝が入り込む領域を確保し、クリアランスを良好なものとしている。
【００２７】
以上説明したように、本発明の第１実施形態によれば、左右方向に連なった椅子で共用される肘掛けであって、一方の椅子に着席した人が用いる第１肘載せ部２と、第１肘載せ部２の前記左右方向の一端から下方に延びた側壁部４と、側壁部４に設けられ、第１肘載せ部２の略垂直方向下方に位置し、他方の椅子に着席した人が用いる第２肘載せ部５とを備えた椅子の肘掛け１ａ（１ｂ）が提供される。従って、左右の椅子で共用するときに両者の腕を上下に並べて非接触で利用することができる。
【００２８】
ここで、第１肘載せ部２の一部には開口部２ａが設けられており、開口部２ａの輪郭及び当該輪郭に続く第１肘載せ部２の端部に沿って立脚した立壁部３を更に有することとしてよい。この場合、左右の座席に座った人の腕が接触するのを防止できるので、快適な乗車空間を提供することができる。
【００２９】
さらに、第２肘載せ部５は、側壁部４の略中央から前端近傍まで設けられていることとしてよい。この場合、第２肘載せ部５を利用する人もゆとりを持った状態で肘掛け１ａ（１ｂ）を利用することができる。
【００３０】
第１実施形態によれば、第１肘載せ部の略垂直方向の下段に第２肘載せ部を設けることで、クリアランスを確保し、肘や腕が完全に膝の上に乗る体制を取らずとも、側壁部、立壁部により隣接者に触れることなく、腕や手をある程度、自由にできる。
【００３１】
なお、第２肘載せ部を使用する配置においても、隣席が空席の場合は、側壁部を取り外して、あるいは椅子の内部に収容して、第１肘載せ部も使用可能としてもよい。
【００３２】
＜第２実施形態＞
図４には本発明の第２実施形態に係る肘掛けユニットを前面から見た様子を示し、図２（ａ）及び図２（ｂ）には肘掛けユニットを装着する様子を示し、説明する。この肘掛けユニットは、左右に連結された椅子の間に設けられている既存の肘掛け装置に装着することで用いられるものである。
【００３３】
図４及びに示されるように、肘掛けユニット２０は、一方の椅子（この例では椅子３００Ａ）に座った人が肘を載せるための第１肘載せ部２２を備えている。詳細には、第１肘載せ部２２は、平坦部２２ａと係止部２２ｂとからなり、平坦部２２ａが既存の肘掛け装置の平面に置かれ、係止部２２ｂが既存の肘掛け装置の一方の側面（この例では椅子３００Ａ側）に係止するようになっている。平坦部２２ａが既存の肘掛け装置の平面に置かれて係止部２２ｂが側面に係止されると、平坦部２２ａに接続されている立壁部２３が座面に垂直な方向の立ち上がるように構成されている。立壁部２３は、第１肘載せ部２２の後端から前端に向けて高さが低くなるように傾斜している。
【００３４】
立壁部２３の下端には、底面部２７が接続されている。底面部２７は既存の肘掛けの下面に当接する。底面部２７の立壁部２３への接続側とは反対側の端部には、椅子３００Ａの座面に垂直な方向に下方に延びた側壁部２４が接続されている。側壁部２４の下端には底面部２６が設けられている。側壁部２４の他方の椅子（この例では椅子３００Ｂ）側を向いた平面には、第２肘載せ部２５が設けられている。第２肘載せ部２５は、椅子３００Ｂの座面に平行となるように、側壁部２４の略中央から前端に向けて設けられている。
【００３５】
図５（ａ）及び図５（ｂ）に示されるように、肘掛ユニット２０を既存の肘掛け装置３０１に装着する場合には、次のような手順となる。先ず、底面部２７が既存の肘掛け装置３０１の下面に当接するように側壁部２４を傾けて既設の肘掛け装置の下方から入れ込み、底面部２７が既設の肘掛け装置３０１の下面に当接したところで、側壁部２４を座面に垂直な方向に立脚させ、底面部２６を座面に当接するように押し込む。次いで、第１肘掛部２２の平坦部２２ａを既設の肘掛け装置３０１の平面に置き、係止部２２ｂを既設の肘掛け装置３０１の一方の側面に係止する。この係止により立壁部２３は座面に垂直な方向に起立する。こうして、既設の肘掛け装置３０１への本実施形態に係る肘掛けユニット２０の装着を完了することになる。
【００３６】
このように、既設の肘掛け装置に本実施形態に係る肘掛けユニット２０を装着するだけで上限２段の非接触の肘掛けが可能となる。例えば、図５（ａ）、５（ｂ）の例では、椅子３００Ａと椅子３００Ｂの間に設けられている肘掛け２０を、各椅子３００Ａ、３００Ｂに座った利用者が共用することができる。詳細には、椅子３００Ａの利用者が左腕の肘を上段の第１肘載せ部２２の平坦部２２ａに載せ、椅子３００Ｂの利用者が右腕の肘を下段の第２肘載せ部２５に載せて、共用することができる。このとき、側壁部２４及び立壁部２３が両者の間に介在するので、両者の腕と腕とが接触することはない。
【００３７】
以上説明したように、本発明の第２実施形態によれば、左右方向に連なった椅子で共用される肘掛け装置に装着される肘掛けユニット２０であって、一方の椅子に着席した人が用いる第１肘載せ部２２と、第１肘載せ部２２の前記左右方向の一端から下方に延びた側壁部２４と、側壁部２４に設けられ、第１肘載せ部２２の略垂直方向下方に位置し、他方の椅子に着席した人が用いる第２肘載せ部２５とを備えた肘掛けユニット２０が提供される。
【００３８】
第２実施形態によれば、既存の肘掛け装置に被せるようにして装着するだけで、上下２段の肘載せ部が実現されるので、限られた空間を有効に活用することができる。
【００３９】
＜第３実施形態＞
図６（ａ）、図６（ｂ）には、本発明の第３実施形態に係る肘掛け装置の構成を斜視図で示し説明する。これらの図に示されるように、左右に連結された２つの椅子４００Ａ、４００Ｂの間に設けられる肘掛け装置３０は、椅子４００Ａ、４００Ｂに着席した人に共用される。肘掛け３０は、上段の第１肘載せ部３１と下段の第２肘載せ部３２の２段構成になっている。そして、第１肘載せ部３１と第２肘載せ部３２は、椅子４００Ａ、４００Ｂの座面に垂直な平面からなる側壁部３３により連結され、全体の断面がコの字形状となっている。
【００４０】
ここでは、不図示であるが、この肘掛け装置３０は、椅子４００Ａ、４００Ｂの背もたれの間に設けられた支持部に不図示の連結部が連結されており、連結部は支持部に対して上下方向にスライド自在となっている。即ち、肘掛け装置３０は、上下方向に移動自在で座面からの高さを調整できるようになっている。図６（ａ）は肘掛け装置３０を最下段まで下げた状態を示しており、図６（ｂ）は最下段から少し上方に数段上げた様子を示している。使わないときは、椅子４００Ａ、４００Ｂの背もたれに設けられた収容部４０１に収容可能となっている。
【００４１】
このような構成によれば、椅子４００Ａに着席した人は上段の第１肘載せ部３１を利用し、椅子４００Ｂに着席した人は下段の第２肘載せ部３２を利用し、上下２段で２人の利用者が肘掛け装置３０を共用することが可能となる。その際、肘掛け装置３０の座面からの高さは適宜調整可能であり、１８０度回転させることで、側壁部３３を椅子４００Ａ向きか椅子４００Ｂ向きか、適宜変更できるようにもなっている。
【００４２】
以上説明したように、本発明の第３実施形態によれば、左右方向に連なった椅子４００Ａ、４００Ｂで共用される肘掛け装置３０であって、一方の椅子４００Ａに着席した人が用いる第１肘載せ部３１と、第１肘載せ部３１の前記左右方向の一端から下方に延びた側壁部３３と、側壁部３３に設けられ、第１肘載せ部３１の略垂直方向下方に位置し、他方の椅子４００Ｂに着席した人が用いる第２肘載せ部３２とを備え、未使用時には前記左右方向に連なった椅子４００Ａ、４００Ｂの間に設けられた開口部４０１に収容でき、前記椅子の座面に対して垂直な方向に移動させることで座面からの高さを調節できる椅子の肘掛け装置３０が提供される。
【００４３】
従って、簡易な構成の肘載せ装置を２つの椅子の間に設けることで、所望とする高さで上下２段の肘載せ部を実現することが可能となる。これは、例えば、自動車の後部座席等に好適な構成である。
【００４４】
以上、本発明の一実施形態について説明したが、本発明はこれに限定されることなくその趣旨を逸脱しない範囲で種々の改良・変更が可能であることは勿論である。例えば、側壁部を複数段で構成し、縦方向に折りたたみ可能に構成してもよい。
【符号の説明】
【００４５】
１ａ，１ｂ  肘掛け装置
２  第１肘載せ部
３  立壁部
３ａ  湾曲部
３ｂ  平面部
４  側壁部
４ａ  主側壁部
４ｂ  傾斜側壁部
５  第２肘載せ部
１０ａ，１０ｂ  肘掛け装置
１２  第１肘載せ部
１３  立壁部                            
１４  側壁部
１５  第２肘載せ部
【図１】
2017006565.tif 000003
【図２】
2017006565.tif 000004
【図３】
2017006565.tif 000005
【図４】
2017006565.tif 000006
【図５】
2017006565.tif 000007
【図６】
2017006565.tif 000008